(57)【要約】【課題】複数のロール状の原反から給送されるウェブのウェブ継ぎを安定して行うウェブ搬送装置を提供する。【解決手段】ウェブ搬送装置が、ウェブ継ぎ動作のために、複数の原反１０がセットされた第一給送軸１１とニップローラ８０との間で搬送中の複数のウェブ１０Ｗを幅方向に切断する切断部６１と、新しい複数の原反２０が同軸にセットされる第二給送軸２１と、切断部６１とニップローラ８０との間で、新しい複数の原反２０に対して搬送中のウェブ１０Ｗを押しつけるペースタニップローラ６２と、を備えている。第二給送軸２１は、複数の原反２０がそれぞれセットされる、中空空間を有する複数の原反セット部３４と、当該複数の原反セット部３４の中空空間を貫通して延びる回動軸２５と、を有しており、複数の原反セット部３４の各々は、弾性要素５０を介して、回動軸２５に支持されている。【選択図】図２
2013203536.tif 000002
【特許請求の範囲】
【請求項１】
複数の原反が軸方向に同軸にセットされる第一給送軸と、
前記第一給送軸の複数の原反からそれぞれ給送されるウェブを共通に狭持して搬送するニップローラと、
ウェブ継ぎ動作の際、前記第一給送軸と前記ニップローラとの間で搬送中の複数のウェブを幅方向に切断する切断部と、
新しい複数の原反が軸方向に同軸にセットされる第二給送軸と、
ウェブ継ぎ動作の際、前記切断部と前記ニップローラとの間で、前記第二給送軸にセットされた新しい複数の原反に対して搬送中のウェブを押しつけるペースタニップローラと、
を備え、
前記第二給送軸は、
複数の原反がそれぞれセットされる、中空空間を有する複数の原反セット部と、
当該複数の原反セット部の中空空間を貫通して延びる回動軸と、
を有しており、
複数の原反セット部の各々は、弾性要素を介して、前記回動軸に支持されている
ことを特徴とするウェブ搬送装置。
【請求項２】
前記弾性要素は、周方向に略均等に設けられた複数のバネ部材である
ことを特徴とする請求項１に記載のウェブ搬送装置。
【請求項３】
前記バネ部材は、スプリングダンパによって構成されている
ことを特徴とする請求項２に記載のウェブ搬送装置。
【請求項４】
前記弾性要素は、袋状部材に入れられた圧縮空気である
ことを特徴とする請求項１に記載のウェブ搬送装置。
【請求項５】
第一給送軸と第二給送軸とは、同一の構成を有していて、ターレット機構を介して相互に交替可能となっている
ことを特徴とする請求項１乃至４のいずれかに記載のウェブ搬送装置。
【発明の詳細な説明】
【技術分野】
【０００１】
本発明は、複数の原反からウェブを同時給送可能なウェブ搬送装置に関する。
【背景技術】
【０００２】
図９乃至図１４を参照して、単一の原反からウェブを給送可能な従来のウェブ搬送装置について説明する。図９は、そのような従来のウェブ搬送装置の構成の一例を示す概略図である。図１０は、図９のウェブ搬送装置によるウェブ（紙、樹脂フィルム、金属箔等の印刷対象物乃至巻取対象物）のウェブ継ぎ動作を説明するための概略図である。
【０００３】
図９に示すように、ウェブ搬送装置１００は、単一の原反１１０がセットされた第一給送軸１１１と、当該第一給送軸１１１にセットされた単一の原反１１０から給送されるウェブ１１０Ｗを狭持して搬送するニップローラ１８０と、を備えている。第一給送軸１１１は、第一給送軸回転駆動部１１３によって駆動されており、ニップローラ１８０は、ニップローラ回転駆動部１８１によって駆動されている。
【０００４】
また、図９に示すように、ウェブ搬送装置１００は、ウェブ継ぎ動作のために、新しい原反１２０がセットされた第二給送軸１２１と、第一給送軸１１１とニップローラ１８０との間で搬送中のウェブ１１０Ｗを幅方向に切断する切断部１６１と、当該切断部１６１とニップローラ１８０との間で第二給送軸１２１にセットされた新しい原反１２０に対して搬送中のウェブ１１０Ｗを押しつけるペースタニップローラ１６２と、を備えている。第二給送軸１２１にセットされた新しい原反１２０の先端部（新しいウェブの先端部）には、ウェブ継ぎ用のペーストＰが予め付着されている。第二給送軸１２１は、第二給送軸回転駆動部１２３によって駆動されるようになっている。
【０００５】
ペースタニップローラ１６２は、詳細には、不図示の装置ハウジングに固定されたペースタ本体部１６３にペースタニップローラ移動機構１６５を介して支持されている。当該ペースタニップローラ移動機構１６５によって、ペースタニップローラ１６２は、第二給送軸１２１にセットされた原反１２０に向けて搬送中のウェブ１１０Ｗを幅方向に一斉に押しつけるようになっている。
【０００６】
一方、切断部１６１も、切断部移動機構１６４を介してペースタ本体部１６３に支持されている。当該切断部移動機構１６４によって、切断部１６１は第一給送軸１１１から給送されるウェブ１１０Ｗに対して幅方向に一斉に当接することができるようになっており、これにより、切断部１６１は当該ウェブ１１０Ｗを幅方向に一斉に切断可能となっている。
【０００７】
第一給送軸回転駆動部１１３、ニップローラ回転駆動部１８１、第二給送軸回転駆動部１２３、切断部移動機構１６４、及び、ペースタニップローラ移動機構１６５は、互いの動作を連関させて制御するための制御部１７０に接続されている。特に、ウェブ継ぎ動作の際には、当該制御部１７０が第二給送軸回転駆動部１２３を制御して、第二給送軸１２１の回転を開始させ、第二給送軸１２１の最外周のウェブの速度を第一給送軸回転駆動部１１３及びニップローラ回転駆動部１８１によるウェブ１１０Ｗの搬送速度に略一致させ、その後で、ペースタニップローラ１６２による押しつけが行われるようになっている。そして、切断部１６１によるウェブ切断のタイミングは、ウェブ継ぎ用のペーストＰの回転位相位置に応じて、決定されるようになっている。このために、第二給送軸回転駆動部１２３は、ウェブ継ぎ用のペーストＰの回転位相を正確に認識できるようになっている。
【０００８】
また、図９に示すウェブ搬送装置１００では、第一給送軸１１１と第二給送軸１２１とは同一構成であり、それ自体は周知のターレット機構によって、相互に交替可能となっている。
【０００９】
図９に示すターレット機構について詳しく説明すれば、回動シャフト１４１を回動可能に軸支する支柱１４２と、回動シャフト１４１を回転駆動する回動モータ１４３と、を有しており、一対の第一給送軸支持アーム１１２が、それらの基端側において回動シャフト１４１に固定され、それらの先端側において第一給送軸１１１の両端部を回転可能に支持している。同様に、一対の第二給送軸支持アーム１２２が、それらの基端側において回動シャフト１４１に固定され、それらの先端側において第二給送軸１２１の両端部を回転可能に支持している。そして、第一給送軸支持アーム１１２と第二給送軸支持アーム１２２とが、回動シャフト１４１を中心として対向するように配置されている。
【００１０】
また、一対の第一サポートロール支持アーム１４４が、それらの基端側において回動シャフト１４１に固定され、それらの先端側において第一サポートロール１４５を回転可能に保持している。更に、一対の第一サポートロール支持アーム１４４は、第一給送軸支持アーム１１２と、回動シャフト１４１の回転方向に対して反対側に９０°の角度をなしている。同様に、一対の第二サポートロール支持アーム１４６が、それらの基端側において回動シャフト１４１に固定され、それらの先端側において第二サポートロール１４７を回転可能に保持している。更に、一対の第二サポートロール支持アーム１４６は、第二給送軸支持アーム１２２と、回動シャフト１４１の回転方向に対して反対側に９０°の角度をなしている。
【００１１】
そして、第一給送軸支持アーム１１２の先端側に、第一給送軸１１１の回転を駆動する第一給送軸回転駆動部１１３が設けられ、第二給送軸支持アーム１２２の先端側に、第二給送軸１２１の回転を駆動する第二給送軸回転駆動部１２３が設けられている。
【００１２】
次に、当該ウェブ搬送装置１００の動作について説明する。図９に示すように、第一給送軸回転駆動部１１３及びニップローラ回転駆動部１８１の回転駆動によって、第一給送軸１１１にセットされた原反１１０からウェブ１１０Ｗが給送され、第一サポートロール１４５を介してニップローラ１８０によって狭持されながら搬送される。
【００１３】
原反１１０におけるウェブ１１０Ｗの残量が少なくなって、ウェブ継ぎ動作が行われる際には、図１０に示すように、先ず、制御部１７０により第二給送軸回転駆動部１２３が制御されて、第二給送軸１２１の回転が開始される。そして、第二給送軸１２１の最外周のウェブの速度が、次第に増速されて、第一給送軸回転駆動部１１３及びニップローラ回転駆動部１８１によるウェブ１１０Ｗの搬送速度に一致させられる。
【００１４】
次に、制御部１７０による制御に従って、ペースタニップローラ移動機構１６５が駆動されて、ペースタニップローラ１６２により、搬送中のウェブ１１０Ｗが、第二給送軸１２１にセットされた原反１２０に対して幅方向に一斉に押しつけられる。また、制御部１７０の制御に従って、ウェブ継ぎ用のペーストＰの回転位相位置に応じて、切断部移動機構１６４が駆動されて、切断部１６１により、搬送中のウェブ１１０Ｗが幅方向に一斉に当接されて切断される。
【００１５】
ここで、ウェブ継ぎ用のペーストＰの回転位相位置に応じて切断がなされるということは、搬送中のウェブ１１０Ｗが切断されて生じるウェブ後端部１１０ＥにおいてペーストＰを介して新しい原反１２０のウェブ（不図示）がウェブ継ぎされるということを意味している。前述の通り、ウェブ継ぎ動作の際には、搬送中のウェブ１１０Ｗの速度と第二給送軸１２１の最外周のウェブの速度とは一致させられる。従って、ウェブ１１０Ｗの切断によって生じるウェブ後端部１１０Ｅがペースタニップローラ１６２により押しつけられる時に、丁度ウェブ継ぎ用のペーストＰがペースタニップローラ１６２により圧着されるというように、ウェブ１１０Ｗの切断の瞬間において図１１に示す距離Ａ＝距離Ｂとなるように、ペーストＰの回転位相位置（すなわち第二給送軸１２１の回転位相位置）とウェブ切断のタイミング（すなわち切断部移動機構１６４の作動開始時）とが相互に関連付けられて制御されるのである。
【００１６】
ウェブ継ぎがなされた後は、第二給送軸１２１にセットされた新しい原反１２０からウェブが給送されていく。そして、切断部移動機構１６４により切断部１６１が元の位置に復帰すると共に、ペースタニップローラ移動機構１６５によりペースタニップローラ１６２も元の位置に復帰される。
【００１７】
その後、ターレット機構によって、第一給送軸１１１の位置と第二給送軸１２１の位置とが相互に交替される。具体的には、回動モータ１４３の駆動により、第一給送軸支持アーム１１２と、第二給送軸支持アーム１２２と、第一サポートロール支持アーム１４４と、第二サポートロール支持アーム１４６とが、一体として回動され、第一給送軸１１１の位置と第二給送軸１２１の位置とが相互に交替される。
【００１８】
その他、給送軸に１つの幅の広いロール状の原反をセットして、処理工程の中でスリッタ装置等を利用してウェブを分断し、分断された複数のウェブを同時平行的に巻取るようなウェブ搬送装置が知られている（特許文献１）。
【先行技術文献】
【特許文献】
【００１９】
【特許文献１】特許第２８８８７０４号公報
【発明の概要】
【発明が解決しようとする課題】
【００２０】
前述した従来のウェブ搬送装置１００において、幅の狭い２つの原反を第一給送軸１１１に軸方向に同軸にセットして、各々のウェブ１１０Ｗを給送するという利用態様が考えられる。あるいは、原反の幅を同一と想定し、各装置部材の幅を２倍にしたウェブ搬送装置を想定することもできる。
【００２１】
そのようなウェブ搬送装置では、構造上、ウェブ継ぎ動作は２つの原反から給送される２つのウェブに対して共通に（同時に）行われる必要がある。すなわち、対応する２つの新たな原反が、第二給送軸１２１に軸方向に同軸にセットされて、前記したようなウェブ継ぎ動作が実施される。
【００２２】
前記したように、単一の原反のウェブ継ぎでは、ウェブ１１０Ｗの切断によって生じるウェブ後端部１１０Ｅがペースタニップローラ１６２により押しつけられる時に、丁度ウェブ継ぎ用のペーストＰがペースタニップローラ１６２により圧着されるというように、ペーストＰの回転位相位置（すなわち第二給送軸１２１の回転位相位置）とウェブ切断のタイミング（すなわち切断部移動機構１６４の作動開始時）とが相互に関連付けられて制御される。ここで、単一の原反のウェブ継ぎでは、ウェブ１１０Ｗがペースタニップローラ１６２により押しつけられ始めるタイミングについては、切断部１６１によるウェブ１１０Ｗの切断の少し前であるという条件で足り、すなわち、ペーストＰが図１１に示す回転位相領域Ｒにあるという条件で足りた。
【００２３】
しかしながら、本件発明者によれば、２つの原反のウェブ継ぎを行う場合には以下のような問題が生じることが判明した。
【００２４】
製品仕様上同一の径を有する２つの原反を選定しても、ウェブの巻張力や製造条件の不均一等に起因して、各原反１２０の径には微差が存在している。従って、一方のウェブ１１０Ｗがペースタニップローラ１６２により押しつけられ始めても、他方のウェブ１１０Ｗは未だペースタニップローラ１６２により押しつけられていない、という状態が発生し得る。
【００２５】
より詳細に説明すれば、ペースタニップローラ移動機構１６５が駆動されて、ペースタニップローラ１６２により搬送中の２つのウェブ１１０Ｗが第二給送軸１２１にセットされた２つの原反１２０に対して幅方向に一斉に押しつけられる際に、図１２に示すように、搬送中のウェブ１１０Ｗは先ず相対的に大径である径ｒａを有する原反１２０ａに当接する。
【００２６】
ペースタニップローラ移動機構１６５の駆動は、図１２の状態では止まらず、ペースタニップローラ１６２は更に第二給送軸１２１に近づいていく。これに伴って、径ｒａを有する原反１２０ａに先に当接したペースタニップローラ１６２の当該部分は、弾性変形して凹んでいく。その結果、図１３に示すように、ペースタニップローラ１６２が搬送中のウェブ１１０Ｗを介して相対的に小径である径ｒｂを有する原反１２０ｂにようやく当接する。
【００２７】
本件発明者による検討によれば、図１２の状態から図１３の状態に至るまでの経過時間δｔは、原反の径差ｒａ−ｒｂの他、主として、ペースタニップローラ１６２の弾性、原反１２０の弾性、ペースタニップローラ移動機構１６５によるペースタニップローラ１６２の移動力、ペースタニップローラ移動機構１６５によるペースタニップローラ１６２の移動速度、などに依存する。例えば、ペースタニップローラ１６２が弾性変形によって凹む深さδｄは、ウェブ１１０Ｗが大径である径ｒａを有する原反１２０ａに当接してからの時間ｔの関数として、図１４のような特性を有している。従って、原反の径差ｒａ−ｒｂに対応する凹み深さδｄに対応して図１４から読み取れる時間が、経過時間δｔということである。そして、当該経過時間δｔが無視できるほどの短時間であれば問題を生じないが、有意な時間であれば、以下のような問題を生じる。
【００２８】
すなわち、前記したように、単一の原反のウェブ継ぎでは、ウェブ１１０Ｗがペースタニップローラ１６２により押しつけられ始めるタイミングについては、切断部１６１による切断の少し前であるという条件で足り、すなわち、ペーストＰが図１１に示す回転位相領域Ｒにあるという条件で足りた。
【００２９】
しかしながら、２つの原反のウェブ継ぎでは、２つのウェブ１１０Ｗの各々がペースタニップローラ１６２により押しつけられ始めるタイミングについて、ペーストＰが図１１に示す（同一回転周期の）回転位相領域Ｒにあるという条件を満たす必要がある。
【００３０】
この場合、前記条件を満たすために経過時間δｔを短縮することを意図して、例えばペースタニップローラ１６２として弾性変形し易い部材（バネ定数が小さい部材）を選定することが考えられる。しかしながら、そのような部材を選定すると、相対的に小径である径ｒｂを有する原反１２０ｂに向けたペースタニップローラ１６２によるウェブの端部１１０Ｅへの押しつけ力を十分な力とするためには、当該押しつけ力によるペースタニップローラ１６２の弾性変形量を大きくしなしなければいけないが、その場合、相対的に大径の原反と当接する部分のペースタニップローラ１６２の弾性変形のマージンを確保できないとの問題がある（弾性変形可能領域を越えてしまう）。
【００３１】
本発明は、以上のような問題点に着目し、これを有効に解決すべく創案されたものである。本発明の目的は、複数のロール状の原反から給送されるウェブのウェブ継ぎを安定して行うことができるウェブ搬送装置を提供することにある。
【課題を解決するための手段】
【００３２】
本発明は、複数の原反が軸方向に同軸にセットされる第一給送軸と、前記第一給送軸の複数の原反からそれぞれ給送されるウェブを共通に狭持して搬送するニップローラと、ウェブ継ぎ動作の際、前記第一給送軸と前記ニップローラとの間で搬送中の複数のウェブを幅方向に切断する切断部と、新しい複数の原反が軸方向に同軸にセットされる第二給送軸と、ウェブ継ぎ動作の際、前記切断部と前記ニップローラとの間で、前記第二給送軸にセットされた新しい複数の原反に対して搬送中のウェブを押しつけるペースタニップローラと、を備え、前記第二給送軸は、複数の原反がそれぞれセットされる、中空空間を有する複数の原反セット部と、当該複数の原反セット部の中空空間を貫通して延びる回動軸と、を有しており、複数の原反セット部の各々は、弾性要素を介して、前記回動軸に支持されていることを特徴とするウェブ搬送装置である。
【００３３】
本発明によれば、最大径の原反が搬送中のウェブに当接するタイミングから最小径の原反が搬送中のウェブに当接するタイミングまで、弾性要素が弾性変形することにより、大径の原反がペースタニップローラから退避するように移動する。このため、最大径の原反がペースタニップローラを弾性変形させる際の抵抗力すなわち抵抗時間が顕著に低減される。この結果として、最大径の原反が搬送中のウェブに当接するタイミングから最小径の原反が搬送中のウェブに当接するタイミングまでの経過時間を著しく短縮することができる。このため、複数の原反の各々がペースタニップローラの押しつけによって搬送中のウェブに当接するタイミングについて、ウェブの先端部に付着されたペーストが図１１に示す回転位相領域Ｒにあるという条件を満たすことができる。これにより、複数のロール状の原反から給送されるウェブのウェブ継ぎを安定して行うことが可能なウェブ搬送装置が実現できる。
【００３４】
例えば、前記弾性要素は、周方向に略均等に設けられた複数のバネ部材である。この場合、ペースタニップローラの押しつけが周方向におけるどの位置で開始されても、当該周方向においてバランス良く弾性力を提供することができる。
【００３５】
この場合、好ましくは、バネ部材はスプリングダンパによって構成される。この場合、ペースタニップローラが新たな原反から離れる際の振動の発生を抑制することができるため、ウェブの給送が安定する。
【００３６】
一方、前記弾性要素は、袋状部材に入れられた圧縮空気であってもよい。この場合、原反セット部の各々と回動軸との間にそれぞれ独立の袋状部材が設けられていてもよいし、原反セット部と回動軸との間に共通の袋状部材が設けられていてもよい。また、圧縮空気の圧力が可変であれば、弾性係数の調整も行うことができる。
【００３７】
また、第一給送軸と第二給送軸とは、同一の構成を有していて、ターレット機構を介して相互に交替可能となっていることが好ましい。
【発明の効果】
【００３８】
本発明によれば、最大径の原反が搬送中のウェブに当接するタイミングから最小径の原反が搬送中のウェブに当接するタイミングまで、弾性要素が弾性変形することにより、大径の原反がペースタニップローラから退避するように移動する。このため、最大径の原反がペースタニップローラを弾性変形させる際の抵抗力すなわち抵抗時間が顕著に低減される。この結果として、最大径の原反が搬送中のウェブに当接するタイミングから最小径の原反が搬送中のウェブに当接するタイミングまでの経過時間を著しく短縮することができる。このため、複数の原反の各々がペースタニップローラの押しつけによって搬送中のウェブに当接するタイミングについて、ウェブの先端部に付着されたペーストが図１１に示す回転位相領域Ｒにあるという条件を満たすことができる。これにより、複数のロール状の原反から給送されるウェブのウェブ継ぎを安定して行うことが可能なウェブ搬送装置が実現できる。
【図面の簡単な説明】
【００３９】
【図１】本発明の一実施の形態におけるウェブ搬送装置を示す概略側面図である。
【図２】第二給送軸の軸線とペースタニップローラの軸線とにより規定される平面における、図１のウェブ搬送装置の断面概略図である。
【図３】第二給送軸の軸線に垂直な平面における、相対的に大径である径ｒａを有する原反の断面概略図である。
【図４】第二給送軸の軸線に垂直な平面における、相対的に小径である径ｒｂを有する原反の断面概略図である。
【図５】図１のウェブ搬送装置によるウェブのウェブ継ぎ動作を説明するための概略図である。
【図６】図２と同様の断面において、ペースタニップローラが搬送中のウェブを介して相対的に小径である径ｒｂを有する原反に当接した状態を示す断面概略図である。
【図７】図６の状態における、図３と同様の断面を示す断面概略図である。
【図８】図６の状態における、図４と同様の断面を示す断面概略図である。
【図９】単一の原反からウェブを給送可能な従来のウェブ搬送装置の構成の一例を示す概略図である。
【図１０】図９のウェブ搬送装置によるウェブのウェブ継ぎ動作を説明するための概略側面図である。
【図１１】ペーストの回転位相位置（すなわち第二給送軸の回転位相位置）とウェブ切断のタイミングとの関係を説明するための図である。
【図１２】ペースタニップローラが搬送中のウェブを介して相対的に大径である径ｒａを有する原反に当接した状態を示す概略図である。
【図１３】ペースタニップローラが搬送中のウェブを介して相対的に小径である径ｒｂを有する原反に当接した状態を示す概略図である。
【図１４】ウェブが大径である径ｒａを有する原反に当接してからの時間ｔと、ペースタニップローラが弾性変形によって凹む深さδｄと、の関係の一例を示すグラフである。
【発明を実施するための形態】
【００４０】
以下、図面を参照して、本発明の一実施の形態について説明する。図１は、本発明の一実施の形態におけるウェブ搬送装置を示す概略図である。
【００４１】
図１に示すように、ウェブ搬送装置１は、２つの原反１０が軸方向に同軸にセットされた第一給送軸１１と、当該第一給送軸１１にセットされた２つの原反１０からそれぞれ給送されるウェブ１０Ｗを共通に狭持して搬送するニップローラ８０と、を備えている。第一給送軸１１は、第一給送軸回転駆動部１３によって駆動されている。
【００４２】
ニップローラ８０は、回転駆動される駆動ローラ８２と、当該駆動ローラ８２と対向するように配置されて当該駆動ローラ８２との間でウェブ１０Ｗを押圧するゴムローラ８３と、により構成されている。駆動ローラ８２とゴムローラ８３は、ウェブ１０Ｗの搬送方向に対して直角かつ水平に回転可能に支持されている。更に、ニップローラ８０は、ニップローラ回転駆動部８１によって駆動されている。
【００４３】
また、図１に示すように、ウェブ搬送装置１は、ウェブ継ぎ動作のために、新しい２つの原反２０ａ及び２０ｂが軸方向に同軸にセットされた第二給送軸２１と、第一給送軸１１とニップローラ８０との間で搬送中の２つのウェブ１０Ｗを幅方向に切断する切断部６１と、当該切断部６１とニップローラ８０との間で第二給送軸２１にセットされた新しい２つの原反２０ａ及び２０ｂに対して搬送中のウェブ１０Ｗを押しつけるペースタニップローラ６２と、を備えている。
【００４４】
第二給送軸２１について、図２を参照して詳細に説明する。図２は、第二給送軸２１の軸線とペースタニップローラ６２の軸線とにより規定される平面における、図１のウェブ搬送装置１の断面概略図である。図２に示すように、第二給送軸２１は、２つの原反２０ａ及び２０ｂがそれぞれセットされる、中空空間を有する２つの原反セット部２４ａ及び２４ｂと、当該２つの原反セット部２４ａ及び２４ｂの中空空間を貫通して延びる回動軸２５と、を有している。回動軸２５は、第二給送軸回転駆動部２３に接続されていて、当該第二給送軸回転駆動部２３によって駆動されるようになっている。図２に示すように、相対的に大径である径ｒａを有する原反２０ａが原反セット部２４ａにセットされ、相対的に小径である径ｒｂを有する原反２０ｂが原反セット部２４ｂにセットされている。新しい原反２０ａ及び２０ｂの各々の先端部（新しいウェブの先端部）には、ウェブ継ぎ用のペーストＰが予め付着されている。
【００４５】
また、２つの原反セット部２４ａ及び２４ｂの各々は、弾性要素、より具体的にはバネ部材５０を介して、回動軸２５に支持されている。
【００４６】
図３及び図４は、第二給送軸２１の軸線に垂直な平面における、各原反の幅方向中央の断面概略図である。図３及び図４に示すように、バネ部材５０は、各原反２０ａ及び２０ｂの周方向に略均等に４つが設けられている。各バネ部材５０は、本実施の形態では、いわゆるスプリングダンパであり、原反セット部２４ａ、２４ｂと回動軸２５との間に張設されたバネ５１と、当該バネ５１に対して並列に設けられたダンパ５２と、を有している。４つのバネ５１を含むバネ部材５０のバネ定数としては、原反２０を回動軸２５に対して安定して支持することができる一方で、ペースタニップローラ６２の弾性変形のバネ定数よりも小さい値が選択される。弾性要素としては、伸縮可能な他の弾性部材が利用されてもよい。
【００４７】
ペースタニップローラ６２は、詳細には、不図示の装置ハウジングに固定されたペースタ本体部６３にペースタニップローラ移動機構６５を介して支持されている。当該ペースタニップローラ移動機構６５によって、ペースタニップローラ６２は、第二給送軸２１にセットされた原反２０ａ及び２０ｂに向けて搬送中のウェブ１０Ｗを幅方向に一斉に押しつけるようになっている。
【００４８】
一方、切断部６１も、切断部移動機構６４を介してペースタ本体部６３に支持されている。当該切断部移動機構６４によって、切断部６１は第一給送軸１１から給送されるウェブ１０Ｗに対して幅方向に一斉に当接することができるようになっており、これにより、切断部６１は当該ウェブ１０Ｗを幅方向に一斉に切断可能となっている。
【００４９】
第一給送軸回転駆動部１３、ニップローラ回転駆動部８１、第二給送軸回転駆動部２３、切断部移動機構６４、及び、ペースタニップローラ移動機構６５は、互いの動作を連関させて制御するための制御部７０に接続されている。特に、ウェブ継ぎ動作の際には、当該制御部７０が第二給送軸回転駆動部２３を制御して、第二給送軸２１の回転を開始させ、第二給送軸２１の最外周のウェブの速度を第一給送軸回転駆動部１３及びニップローラ回転駆動部８１によるウェブ１０Ｗの搬送速度に略一致させ、その後で、ペースタニップローラ６２による押しつけが行われるようになっている。そして、切断部６１によるウェブ切断のタイミングは、ウェブ継ぎ用のペーストＰの回転位相位置に応じて、決定されるようになっている。このために、第二給送軸回転駆動部２３は、ウェブ継ぎ用のペーストＰの回転位相を正確に認識できるようになっている。
【００５０】
また、図１に示すウェブ搬送装置１では、第一給送軸１１と第二給送軸２１とは同一構成であり、それ自体は周知のターレット機構によって、相互に交替可能となっている。
【００５１】
図１に示すターレット機構について詳しく説明すれば、回動シャフト４１を回動可能に軸支する支柱４２と、回動シャフト４１を回転駆動する回動モータ４３と、を有しており、一対の第一給送軸支持アーム１２が、それらの基端側において回動シャフト４１に固定され、それらの先端側において第一給送軸１１の両端部を回転可能に支持している。同様に、一対の第二給送軸支持アーム２２が、それらの基端側において回動シャフト４１に固定され、それらの先端側において第二給送軸２１の両端部を回転可能に支持している。そして、第一給送軸支持アーム１２と第二給送軸支持アーム２２とが、回動シャフト４１を中心として対向するように配置されている。
【００５２】
また、一対の第一サポートロール支持アーム４４が、それらの基端側において回動シャフト４１に固定され、それらの先端側において第一サポートロール４５を回転可能に保持している。更に、一対の第一サポートロール支持アーム４４は、第一給送軸支持アーム１２と、回動シャフト４１の回転方向に対して反対側に９０°の角度をなしている。同様に、一対の第二サポートロール支持アーム４６が、それらの基端側において回動シャフト４１に固定され、それらの先端側において第二サポートロール４７を回転可能に保持している。更に、一対の第二サポートロール支持アーム４６は、第二給送軸支持アーム２２と、回動シャフト４１の回転方向に対して反対側に９０°の角度をなしている。
【００５３】
そして、第一給送軸支持アーム１２の先端側に、第一給送軸１１の回転を駆動する第一給送軸回転駆動部１３が設けられ、第二給送軸支持アーム２２の先端側に、第二給送軸２１の回転を駆動する第二給送軸回転駆動部２３が設けられている。
【００５４】
次に、このような構成からなる本実施の形態の作用について図１乃至図８を参照しながら説明する。図５は、図１のウェブ搬送装置によるウェブのウェブ継ぎ動作を説明するための概略図である。図６は、図２と同様の断面において、ペースタニップローラが搬送中のウェブを介して相対的に小径である径ｒｂを有する原反に当接した状態を示す概略図である。図７及び図８は、図６の状態における、図３及び図４の同様の断面をそれぞれ示す概略図である。
【００５５】
図１に示すように、第一給送軸回転駆動部１３及びニップローラ回転駆動部８１の回転駆動によって、第一給送軸１１にセットされた２つの原反１０からウェブ１０Ｗがそれぞれ給送され、第一サポートロール４５を介してニップローラ８０によって共通に狭持されながら搬送される。
【００５６】
原反１０におけるウェブ１０Ｗの残量が少なくなって、ウェブ継ぎ動作が行われる際には、図５に示すように、先ず、制御部７０により第二給送軸回転駆動部２３が制御されて、第二給送軸２１の回転が開始される。そして、第二給送軸２１の最外周のウェブの速度が、次第に増速されて、第一給送軸回転駆動部１３及びニップローラ回転駆動部８１によるウェブ１０Ｗの搬送速度に一致させられる。
【００５７】
次に、制御部７０による制御に従って、ペースタニップローラ移動機構６５が駆動されて、ペースタニップローラ６２により、搬送中のウェブ１０Ｗが、第二給送軸２１にセットされた２つの原反２０に対して幅方向に一斉に押しつけられる。より詳細には、図２に示す状態から、搬送中のウェブ１０Ｗは先ず相対的に大径である径ｒａを有する原反２０ａに当接する。ペースタニップローラ移動機構６５の駆動は、当該当接した状態では止まらず、ペースタニップローラ６２は更に第二給送軸２１に近づいていく。これに伴って、大径である径ｒａを有する原反２０ａに先に当接したペースタニップローラ６２の当該部分は、弾性変形して僅かに凹んでいくが、バネ部材５０の弾性変形の方が大きいため、大径である径ｒａを有する原反２０ａがペースタニップローラ６２から退避するように移動していく。その結果、図１３に示すように、ペースタニップローラ６２が搬送中のウェブ１０Ｗを介して小径である径ｒｂを有する原反２０ｂに当接する。このため、大径である径ｒａを有する原反２０ａがペースタニップローラ６２を弾性変形させる際の抵抗力すなわち抵抗時間が顕著に低減される。この結果として、大径である径ｒａを有する原反２０ａが搬送中のウェブ１０Ｗに当接するタイミングから小径である径ｒｂを有する原反２０ｂが搬送中のウェブ１０Ｗに当接するタイミングまでの経過時間を著しく短縮することができる。このため、２つの原反２０ａ及び２０ｂの各々がペースタニップローラ６２の押しつけによって搬送中のウェブ１０Ｗに当接するタイミングについて、ウェブ１０Ｗの先端部に付着されたペーストＰが図１１に示す回転位相領域Ｒにあるという条件を満たすことができる。
【００５８】
また、制御部７０の制御に従って、ウェブ継ぎ用のペーストＰの回転位相位置に応じて、切断部移動機構６４が駆動されて、切断部６１により、搬送中の各ウェブ１０Ｗが幅方向に一斉に当接されて切断される。ここで、ウェブ継ぎ用のペーストＰの回転位相位置に応じて切断がなされるということは、搬送中の各ウェブ１０Ｗが切断されて生じるウェブ後端部１０ＥにおいてペーストＰを介して新しい原反２０のウェブがウェブ継ぎされるということを意味している。前述の通り、ウェブ継ぎ動作の際には、搬送中のウェブ１０Ｗの速度と第二給送軸２１の最外周のウェブの速度とは一致させられる。従って、各ウェブ１０Ｗの切断によって生じるウェブ後端部１０Ｅがペースタニップローラ６２により押しつけられる時に、丁度ウェブ継ぎ用のペーストＰがペースタニップローラ６２により圧着されるというように、各ウェブ１０Ｗの切断の瞬間において図１１に示す距離Ａ＝距離Ｂとなるように、ペーストＰの回転位相位置（すなわち第二給送軸２１の回転位相位置）とウェブ切断のタイミング（すなわち切断部移動機構６４の作動開始時）とが相互に関連付けられて制御される。
【００５９】
ウェブ継ぎがなされた後は、第二給送軸２１にセットされた２つの新しい原反２０からウェブがそれぞれ給送されていく。そして、切断部移動機構６４により切断部６１が元の位置に復帰すると共に、ペースタニップローラ移動機構６５によりペースタニップローラ６２も元の位置に復帰される。このとき、ペースタニップローラ６２が新たな原反２０から離れる際にバネ部材５０の弾性変形が解放されるが、これによる振動の発生はダンパ５２により抑制される。その結果、ウェブが安定して給送される。
【００６０】
その後、ターレット機構によって、第一給送軸１１の位置と第二給送軸２１の位置とが相互に交替される。具体的には、回動モータ４３の駆動により、第一給送軸支持アーム１２と、第二給送軸支持アーム２２と、第一サポートロール支持アーム４４と、第二サポートロール支持アーム４６とが、一体として回動され、第一給送軸１１の位置と第二給送軸２１の位置とが相互に交替される。
【００６１】
本実施の形態によれば、大径の原反２０ａが搬送中のウェブ１０Ｗに当接するタイミングから小径の原反２０ｂが搬送中のウェブ１０Ｗに当接するタイミングまで、第二給送軸２１のバネ部材５０が弾性変形することにより、大径の原反２０ａがペースタニップローラ６２から退避するように移動する。このため、大径の原反２０ａがペースタニップローラ６２を弾性変形させる際の抵抗力すなわち抵抗時間が顕著に低減される。この結果として、大径の原反２０ａが搬送中のウェブ１０Ｗに当接するタイミングから小径の原反２０ｂが搬送中のウェブ１０Ｗに当接するタイミングまでの経過時間を著しく短縮することができる。このため、複数の原反２０ａ及び２０ｂの各々がペースタニップローラ６２の押しつけによって搬送中のウェブ１０Ｗに当接するタイミングについて、ウェブの先端部に付着されたペーストＰが図１１に示す回転位相領域Ｒにあるという条件を満たすことができる。これにより、複数のロール状の原反２０ａ及び２０ｂから給送されるウェブ１０Ｗのウェブ継ぎを安定して行うことが可能なウェブ搬送装置１が実現できる。
【００６２】
また、弾性要素が周方向に略均等に設けられた複数のバネ部材５０で構成されているため、ペースタニップローラ６２の押しつけが周方向におけるどの位置で開始されても、当該周方向においてバランス良く弾性力を提供することができる。
【００６３】
更に、バネ部材５０がスプリングダンパによって構成されていることにより、ペースタニップローラ６２が新たな原反２０から離れる際の振動の発生を抑制することができるため、ウェブが安定して給送される。
【００６４】
以上の実施の形態では、図３及び図４に示すように、弾性要素としてのバネ部材５０が各原反２０ａ及び２０ｂに対して周方向に略均等に４つ設けられている例を示したが、本発明はこのような例に限定されない。例えば、弾性要素は、袋状部材に入れられた圧縮空気であってもよい。この場合、原反セット部２４ａ及び２４ｂの各々と回動軸２５との間にそれぞれ独立の袋状部材が設けられていてもよいし、原反セット部２４ａ及び２４ｂと回動軸２５との間に共通の袋状部材が設けられていてもよい。袋状部材としては、例えば筒状のそれ自体既知のエアチャック（例えば、ハイメックス社製ハイロックシーリズ）が用いられ得る。このような形態によっても、大径の原反２０ａがペースタニップローラ６２から退避するように移動できるため、大径の原反２０ａがペースタニップローラ６２を弾性変形させる際の抵抗力ないし抵抗時間が顕著に低減される。また、袋状部材が筒状であれば、ペースタニップローラ６２の押しつけが周方向におけるどの位置で開始されても、当該周方向においてバランス良く弾性力を提供することができる。また、当該袋状部材を原反セット部２４としてそのまま利用することも可能である。更に、圧縮空気の圧力が可変であれば、弾性係数の調整も行うことができる。
【符号の説明】
【００６５】
１  ウェブ搬送装置
１０  原反
１０Ｗ  ウェブ
１０Ｅ  ウェブ後端部
１１  第一給送軸
１２  第一給送軸支持アーム
１３  第一給送軸回転駆動部
２０、２０ａ、２０ｂ  新たな原反
２１  第二給送軸
２２  第二給送軸支持アーム
２３  第二給送軸回転駆動部
２４ａ、２４ｂ  原反セット部
２５  回動軸
４１  回動シャフト
４２  支柱
４３  回動モータ
４４  第一サポートロール支持アーム
４５  第一サポートロール
４６  第二サポートロール支持アーム
４７  第二サポートロール
５０  バネ部材
５１  バネ
５２  ダンパ
６１  切断部
６２  ペースタニップローラ
６３  ペースタ本体部
６４  切断部移動機構
６５  ペースタニップローラ移動機構
７０  制御部
８０  ニップローラ
８１  ニップローラ回転駆動部
８２  駆動ローラ
８３  ゴムローラ
１００  ウェブ搬送装置
１１０  原反
１１０Ｗ  ウェブ
１１０Ｅ  ウェブ後端部
１１１  第一給送軸
１１２  第一給送軸支持アーム
１１３  第一給送軸回転駆動部
１２０、１２０ａ、１２０ｂ  原反
１２１  第二給送軸
１２２  第二給送軸支持アーム
１２３  第二給送軸回転駆動部
１４１  回動シャフト
１４２  支柱
１４３  回動モータ
１４４  第一サポートロール支持アーム
１４５  第一サポートロール
１４６  第二サポートロール支持アーム
１４７  第二サポートロール
１６１  切断部
１６２  ペースタニップローラ
１６３  ペースタ本体部
１６４  切断部移動機構
１６５  ペースタニップローラ移動機構
１７０  制御部
１８０  ニップローラ
１８１  ニップローラ回転駆動部
【図１】
2013203536.tif 000003
【図２】
2013203536.tif 000004
【図３】
2013203536.tif 000005
【図４】
2013203536.tif 000006
【図５】
2013203536.tif 000007
【図６】
2013203536.tif 000008
【図７】
2013203536.tif 000009
【図８】
2013203536.tif 000010
【図９】
2013203536.tif 000011
【図１０】
2013203536.tif 000012
【図１１】
2013203536.tif 000013
【図１２】
2013203536.tif 000014
【図１３】
2013203536.tif 000015
【図１４】
2013203536.tif 000016